(57)【要約】【課題】ブランケット締め付け装置、ブランケット胴、印刷機において、信頼性の向上を図る。【解決手段】ブランケット胴３１ａの収容孔１１３内で回動自在に支持されるテンションバー１１７と、テンションバー１１７に設けられてブランケット１０２の咥え尻側端部プレート２０４を挿入可能なスリット１２３と、テンションバー１１７に設けられてブランケット１０２の咥え側端部プレート２０３と咥え尻側端部プレート２０４を重ねてカム面１１５に押圧する第１押圧部１２４と、テンションバー１１７を第１押圧部１２４がカム面１１５に接近する方向に付勢する圧縮コイルばね１３７，１３８とを設ける。【選択図】図１
2015131416.tif 000002
【特許請求の範囲】
【請求項１】
ブランケット胴の溝部から開口部に挿入されたブランケットの端部を締め付けて固定するブランケット締め付け装置であって、
前記開口部で回動自在に支持されるテンションバーと、
前記テンションバーに設けられて前記ブランケットの咥え尻側端部を挿入可能なスリットと、
前記テンションバーに設けられて前記ブランケットの咥え側端部と咥え尻側端部を重ねて前記開口部壁面に押圧する第１押圧部と、
前記テンションバーを前記第１押圧部が前記開口部壁面に接近する方向に付勢する付勢部材と、
を有することを特徴とするブランケット締め付け装置。
【請求項２】
前記ブランケットの咥え尻側端部は、内側に折曲する折曲部を有し、前記第１押圧部は、前記折曲部を前記ブランケットの咥え側端部に重ねて内側から前記開口部壁面に押圧することを特徴とする請求項１に記載のブランケット締め付け装置。
【請求項３】
前記第１押圧部は、前記テンションバーの外周面から外方に突出する突出部であり、前記開口部壁面は、平面であることを特徴とする請求項１または２に記載のブランケット締め付け装置。
【請求項４】
前記テンションバーは、前記ブランケットの咥え側端部だけを前記開口部壁面に押圧する第２押圧部が設けられることを特徴とする請求項１から請求項３のいずれか一項に記載のブランケット締め付け装置。
【請求項５】
前記テンションバーにおける径方向への変形を規制する規制部材が設けられることを特徴とする請求項１から請求項４のいずれか一項に記載のブランケット締め付け装置。
【請求項６】
前記規制部材は、前記テンションバーの外周面を回動自在に支持する支持部材を有することを特徴とする請求項５に記載のブランケット締め付け装置。
【請求項７】
前記規制部材は、前記テンションバーにおける変形側への移動を阻止する阻止部材を有することを特徴とする請求項５または請求項６に記載のブランケット締め付け装置。
【請求項８】
前記開口部は、円形孔であり、円柱形状をなすテンションバーが偏心位置に配置されることを特徴とする請求項１から請求項７のいずれか一項に記載のブランケット締め付け装置。
【請求項９】
円柱形状をなす胴本体の外周面にブランケットが装着されたブランケット胴であって、
前記胴本体の内部に請求項１から請求項８のいずれか一項に記載のブランケット締め付け装置が設けられる、
ことを特徴とするブランケット胴。
【請求項１０】
インキ供給源と、
前記インキ供給源のインキを供給するインキ供給ローラと、
前記インキ供給ローラに対接する版胴と、
前記版胴に対接する請求項９に記載のブランケット胴と、
を有することを特徴とする印刷機。
【発明の詳細な説明】
【技術分野】
【０００１】
本発明は、ブランケット胴にブランケットを装着するためのブランケット締め付け装置、このブランケット締め付け装置を有するブランケット胴、このブランケット胴を有する印刷機に関するものである。
【背景技術】
【０００２】
例えば、新聞用オフセット輪転印刷機は、給紙装置と印刷装置とウェブパス装置と折機と排紙装置とから構成されている。そして、印刷装置は、複数の印刷ユニットから構成され、この印刷ユニットは、例えば、インキつぼ、インキ元ローラ、インキ受渡しローラ、インキ練ローラ、インキ往復ローラ、インキ練ローラ、インキ往復ローラ、複数のインキ着ローラ、版胴、ブランケット胴がほぼ直列に配置されると共に、版胴に対して湿し装置が設けられている。従って、インキつぼのインキがインキ元ローラによりインキ受渡しローラに受け渡され、一対のインキ練ローラ及びインキ往復ローラにより適度に練られて薄膜を形成された後、各インキ着ローラから版胴の版面に供給され、版面に付着したインキがブランケット胴に転写され、対向するブランケット胴との間にウェブが走行することで、このウェブに所定の印圧が掛けられてブランケット胴のインキが絵柄として転写される。
【０００３】
このように新聞用オフセット輪転印刷機にて、印刷装置を構成するブランケット胴は、版胴の刷版から印刷画像（インキ）を受け取り、ウェブに適正に転写する機能を有するものである。そのため、ブランケット胴は、外周面に転写用のブランケットが装着されている。このブランケットは、ブランケットシートの表面にゴム製シートが貼り付けられて構成されている。一方、ブランケット胴は、締め付け装置を有しており、ブランケットにおける咥え側端部を締め付け装置により固定した後、このブランケットを外周面に巻き付け、咥え尻側端部を締め付け装置により固定する。
【０００４】
このようなブランケット胴としては、例えば、下記特許文献１に記載されたものがある。この特許文献１に記載されたブランケット胴は、ブランケット胴の表面に軸方向にそって開口部を有する胴溝と、胴溝内に回動可能に設けられてブランケットの咥え尻側端部プレートを挿入するスリット溝と、ブランケットの咥え側端部プレートを押圧する押圧面を有するテンションバーと、胴溝の咥え側内面の胴中心部側に凹部を設け、この凹部にブランケット咥え側端部プレートを押圧面にて押圧し曲げ変形させるよう構成したものである。
【先行技術文献】
【特許文献】
【０００５】
【特許文献１】特開２００６−０５１６３４号公報
【発明の概要】
【発明が解決しようとする課題】
【０００６】
ところで、ブランケットは、長手方向の両端部が締め付け装置によりブランケット胴に固定されている。この場合、ブランケットは、各端部が締め付け装置により摩擦力を用いて固定されているものの、締め付けの信頼性を向上させることが望まれている。
【０００７】
本発明は、上述した課題を解決するものであり、信頼性の向上を図るブランケット締め付け装置、ブランケット胴、印刷機を提供することを目的とする。
【課題を解決するための手段】
【０００８】
上記の目的を達成するための本発明のブランケット締め付け装置は、ブランケット胴の溝部から開口部に挿入されたブランケットの端部を締め付けて固定するブランケット締め付け装置であって、前記開口部で回動自在に支持されるテンションバーと、前記テンションバーに設けられて前記ブランケットの咥え尻側端部を挿入可能なスリットと、前記テンションバーに設けられて前記ブランケットの咥え側端部と咥え尻側端部を重ねて前記開口部壁面に押圧する第１押圧部と、前記テンションバーを前記第１押圧部が前記開口部壁面に接近する方向に付勢する付勢部材と、を有することを特徴とするものである。
【０００９】
従って、ブランケットの咥え尻側端部をスリットに挿入し、テンションバーを付勢部材の付勢力により回動すると、第１押圧部がブランケットの咥え側端部と咥え尻側端部を重ねて開口部壁面に押圧することとなり、ブランケットを適正にブランケット胴に装着することができ、信頼性を向上することができる。
【００１０】
本発明のブランケット締め付け装置では、前記ブランケットの咥え尻側端部は、内側に折曲する折曲部を有し、前記第１押圧部は、前記折曲部を前記ブランケットの咥え側端部に重ねて内側から前記開口部壁面に押圧することを特徴としている。
【００１１】
従って、ブランケットの咥え側端部の反力とブランケットの咥え尻側端部との反力が逆方向に作用することから、第１押圧部によりブランケットの咥え側端部と咥え尻側端部を強固に支持することができる。
【００１２】
本発明のブランケット締め付け装置では、前記第１押圧部は、前記テンションバーの外周面から外方に突出する突出部であり、前記開口部壁面は、平面であることを特徴としている。
【００１３】
従って、テンションバーが回動することで、第１押圧部としての突出部が平面の開口部壁面に押圧してブランケットの咥え側端部と咥え尻側端部を強固に押圧することとなり、構造を簡素化することができる。
【００１４】
本発明のブランケット締め付け装置では、前記テンションバーは、前記ブランケットの咥え側端部だけを前記開口部壁面に押圧する第２押圧部が設けられることを特徴としている。
【００１５】
従って、第１押圧部だけでなく、第２押圧部がブランケットの咥え側端部を押圧することとなり、ブランケットの締め付け作業の信頼性を向上することができる。
【００１６】
本発明のブランケット締め付け装置では、前記テンションバーにおける径方向への変形を規制する規制部材が設けられることを特徴としている。
【００１７】
従って、規制部材によりテンションバーにおける径方向への変形を規制することができ、ブランケット胴やテンションバーの小型化を可能とすることができる。
【００１８】
本発明のブランケット締め付け装置では、前記規制部材は、前記テンションバーの外周面を回動自在に支持する支持部材を有することを特徴としている。
【００１９】
従って、支持部材がテンションバーの外周面を回動自在に支持することで、テンションバーの作動に支障をきたすことなく、径方向への変形を規制することができる。
【００２０】
本発明のブランケット締め付け装置では、前記規制部材は、前記テンションバーにおける変形側への移動を阻止する阻止部材を有することを特徴としている。
【００２１】
従って、阻止部材によりテンションバーにおける変形側への移動を阻止することができ、構造を簡素化することができる。
【００２２】
本発明のブランケット締め付け装置では、前記開口部は、円形孔であり、円柱形状をなすテンションバーが偏心位置に配置されることを特徴としている。
【００２３】
従って、第１押圧部が突出部であるとき、テンションバーを開口部内に効率的に収容することができ、開口部を小型化することができる。
【００２４】
また、本発明のブランケット胴は、円柱形状をなす胴本体の外周面にブランケットが装着されたブランケット胴であって、前記胴本体の内部に前記ブランケット締め付け装置が設けられる、ことを特徴とするものである。
【００２５】
従って、ブランケットを適正に胴本体に装着することができ、ブランケット胴の信頼性を向上することができる。
【００２６】
また、本発明の印刷機は、インキ供給源と、前記インキ供給源のインキを供給するインキ供給ローラと、前記インキ供給ローラに対接する版胴と、前記版胴に対接する前記ブランケット胴と、を有することを特徴とするものである。
【００２７】
従って、ブランケットを適正にブランケット胴に装着することができ、印刷機の信頼性を向上することができる。
【発明の効果】
【００２８】
本発明のブランケット締め付け装置、ブランケット胴、印刷機によれば、テンションバーにブランケットの咥え側端部と咥え尻側端部を重ねて開口部壁面に押圧する第１押圧部を設けるので、ブランケットを適正にブランケット胴に装着することができ、信頼性を向上することができる。
【図面の簡単な説明】
【００２９】
【図１】図１は、本実施形態のブランケット胴を表す正面図である。
【図２】図２は、ブランケット胴を表す側面図である。
【図３】図３は、ブランケットの装着状態を表す図１のIII−III断面図である。
【図４】図４は、ブランケットの装着方法を表す断面図である。
【図５】図５は、図１のＶ−Ｖ断面図である。
【図６】図６は、図１のＶI−ＶI断面図である。
【図７】図７は、新聞用オフセット輪転印刷機を表す概略構成図である。
【図８】図８は、新聞用オフセット輪転印刷機における印刷ユニットを表す概略構成図である。
【発明を実施するための形態】
【００３０】
以下に添付図面を参照して、本発明に係るブランケット締め付け装置、ブランケット胴、印刷機の好適な実施形態を詳細に説明する。なお、この実施形態により本発明が限定されるものではなく、また、実施形態が複数ある場合には、各実施形態を組み合わせて構成するものも含むものである。
【００３１】
図７は、新聞用オフセット輪転印刷機を表す概略構成図、図８は、新聞用オフセット輪転印刷機における印刷ユニットを表す概略構成図である。
【００３２】
本実施形態の印刷機は、図７に示すように、新聞用オフセット輪転印刷機であって、給紙装置Ｒと、インフィード装置Ｉと、印刷装置Ｕと、ウェブパス装置Ｄと、折機Ｆとから構成されている。給紙装置Ｒは、複数（実施形態１では、７台）の給紙ユニットＲ１〜Ｒ７を有し、インフィード装置Ｉは、複数（実施形態１では、７台）のインフィードユニットＩ１〜Ｉ７を有し、印刷装置Ｕは、複数（実施形態１では、６台）の印刷ユニットＵ１〜Ｕ６を有し、ウェブパス装置Ｄは、複数（実施形態１では、２台）のウェブパスユニットＤ１，Ｄ２を有し、折機Ｆは、複数（実施形態１では、２個）の折ユニットＦ１，Ｆ２を有している。
【００３３】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００３４】
そして、この新聞用オフセット輪転印刷機では、図示しない建屋の１階の床面上に給紙ユニットＲ１〜Ｒ７が設置され、２階にインフィードユニットＩ１〜Ｉ７が設置され、２階及び３階に印刷ユニットＵ１〜Ｕ６が設置され、３階から５階にウェブパス装置Ｄが設置され、また、２階、３階に折機Ｆが設置されている。
【００３５】
給紙装置Ｒにおいて、給紙ユニットＲ１〜Ｒ７は、ほぼ同様の構成をなし、ウェブ（印刷媒体）Ｗがロール状に巻かれた３つの巻取紙を保持する保持アーム１１を有し、この保持アーム１１を回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００３６】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００３７】
なお、給紙装置Ｒからインフィード装置ＩまでのウェブＷのテンションは、給紙ユニットＲ１〜Ｒ７に設けられた図示しないブレーキ装置により行っており、給紙装置Ｒに設けられたテンション検出ローラの検出結果に基づいて、このブレーキ装置を制御している。また、印刷装置Ｕの下流側には、駆動源により駆動回転可能なドラグローラ１２が設けられており、このドラグローラ１２の周速やダンサローラの付勢力を制御することで、ウェブＷのテンションを調整している。
【００３８】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、後述するが、インキ供給装置、版胴、ブランケット胴などを有している。本実施形態では、各印刷ユニットＵ１〜Ｕ６は、版胴に周方向に沿って印刷物としての新聞の１頁分に対応する刷版を装着可能であり、この版胴の周長（直径）に対して、ブランケット胴の周長（直径）が同じに設定されている。
【００３９】
なお、本実施形態では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００４０】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００４１】
即ち、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００４２】
折機Ｆにて、２つの折ユニットＦ１，Ｆ２は、操作側と駆動側に配設されている。即ち、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００４３】
従って、新聞用オフセット輪転印刷機では、給紙装置Ｒの各給紙ユニットＲ１〜Ｒ７からそれぞれ供給された各ウェブＷは、インフィード装置Ｉの各インフィードユニットＩ１〜Ｉ７によりテンションが調整され、印刷装置Ｕの各印刷ユニットＵ１〜Ｕ６に供給される。この印刷装置Ｕにおける各印刷ユニットＵ１〜Ｕ６にて、各ウェブＷの両面に印刷が施される。そして、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００４４】
その後、折機Ｆでは、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００４５】
ここで、印刷装置Ｕにおける印刷ユニットＵ１について詳細に説明する。印刷ユニットＵ１は、図８に示すように、４色印刷が可能となるように、Ｈ型のタワーユニットとなっている。この印刷ユニットＵ１は、ウェブＷの搬送方向（下から上）に沿って、墨（Black）、藍（Cyan）、紅（Magenta）、黄（Yellow）ごとの４つのスタック２１，２２，２３，２４が配置されて構成されており、各スタック２１，２２，２３，２４は、それぞれ左右対称となるローラ配列となっている。
【００４６】
即ち、印刷ユニットＵ１における各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００４７】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に２つ（または、４つ）並べて装着可能となっている。なお、刷版の取付数は適宜設定すればよい。
【００４８】
なお、インキ供給装置５１ａ，５１ｂ，５２ａ，５２ｂ，５３ａ，５３ｂ，５４ａ，５４ｂは、一般的に、インキつぼ、インキ元ローラ、インキ受渡しローラ、複数のインキ練ローラ、複数のインキ往復ローラ、複数のインキ着ローラなどにより構成され、インキつぼが本発明のインキ供給源であり、インキ元ローラとインキ受渡しローラと複数のインキ練ローラと複数のインキ往復ローラと複数のインキ着ローラが本発明のインキ供給ローラである。
【００４９】
以下、印刷ユニットＵ１におけるブランケット胴３１ａ，３１ｂ，３２ａ，３２ｂ，３３ａ，３３ｂ，３４ａ，３４ｂについて説明する。なお、各ブランケット胴３１ａ，３１ｂ，３２ａ，３２ｂ，３３ａ，３３ｂ，３４ａ，３４ｂは、ほぼ同様の構成をなすことからブランケット胴３１ａについてのみ詳細に説明する。
【００５０】
図１は、本実施形態のブランケット胴を表す正面図、図２は、ブランケット胴を表す側面図、図３は、ブランケットの装着状態を表す図１のIII−III断面図、図４は、ブランケットの装着方法を表す断面図、図５は、図１のＶ−Ｖ断面図、図６は、図１のＶI−ＶI断面図である。
【００５１】
ブランケット胴３１ａは、図１から図３に示すように、胴本体１０１と、ブランケット１０２と、ブランケット締め付け装置１０３とを有している。
【００５２】
胴本体１０１は、所定長さを有する円柱形状をなし、軸方向端部に設けられた支持軸１１１，１１２が図示しない印刷機フレームに軸受を介して回転自在に支持されている。ブランケット１０２は、版胴から供給された印刷画像（インキ）をウェブ（印刷媒体）に転写するものであり、所定の大きさを有する金属プレートからなるブランケットシート２０１と、このブランケットシート２０１の表面に貼り付けられたゴムシート２０２とから構成されている。このブランケット１０２は、ブランケットシート２０１における長手方向の端部が内側に折曲されることで、咥え側端部プレート２０３と咥え尻側端部プレート２０４が形成されている。
【００５３】
ブランケット締め付け装置１０３は、胴本体１０１の外周面に巻き付けられたブランケット１０２の端部、つまり、咥え側端部プレート２０３と咥え尻側端部プレート２０４を締め付けることで、ブランケット１０２を胴本体１０１に装着するものである。
【００５４】
胴本体１０１は、回転中心より外周部側に寄って開口部としての円形断面形状をなす収容孔１１３が胴本体１０１の軸心方向に沿って形成され、軸方向における各端部が胴本体１０１の端部にそれぞれ開口している。この収容孔１１３は、中心Ｏ１を有するものであり、胴本体１０１の軸心方向に沿う溝部１１４を通して胴本体１０１の外方に開放されている。収容孔１１３は、開口部壁面となるカム面１１５が形成されている。このカム面１１５は、平面であり、外側端部が溝部１１４に連続し、内側端部が収容孔１１３の円弧面に連続している。また、カム面１１５に対向して傾斜面１１６が形成されている。この傾斜面１１６は、平面であり、外側端部が溝部１１４に連続し、内側端部が収容孔１１３の円弧面に連続している。そのため、収容孔１１３は、その幅（胴本体１０１における周方向の隙間の長さ）が、狭い溝部１１４からカム面１１５と傾斜面１１６により内部に向けて拡大している。
【００５５】
胴本体１０１は、収容孔１１３内にテンションバー１１７が配置されている。このテンションバー１１７は、円柱形状をなし、外径が収容孔１１３の内径より小径であり、各端部が胴本体１０１の端部に回転自在に支持されている。テンションバー１１７は、胴本体１０１の収容孔１１３内で中心Ｏ２をもって回動可能であり、収容孔１１３の中心Ｏ１に対して偏心位置に配置されている。
【００５６】
テンションバー１１７は、第１押圧バー１１８と第２押圧バー１１９が設けられている。即ち、テンションバー１１７は、切欠部１２０が形成され、この切欠部１２０に第１押圧バー１１８と第２押圧バー１１９が収容されている。第１押圧バー１１８は、テンションバー１１７の軸方向に沿い、基端部が切欠部１２０の底部に密着し、複数の固定ボルト１２１によりテンションバー１１７に固定されている。第２押圧バー１１９は、テンションバー１１７の軸方向に沿い、基端部が切欠部１２０の底部に密着し、複数の固定ボルト１２２によりテンションバー１１７に固定されている。
【００５７】
第１押圧バー１１８と第２押圧バー１１９は、切欠部１２０内で所定隙間をもって配置されることで、両者の間にスリット１２３が形成されている。このスリット１２３の幅（第１押圧バー１１８と第２押圧バー１１９の距離）は、例えば、固定ボルト１２１を回動して調整することかできる。この場合、スリット１２３は、ブランケット１０２の咥え尻側端部プレート２０４を挿入可能であり、適正幅に調整される。
【００５８】
第１押圧バー１１８は、先端部にブランケット１０２の咥え側端部プレート２０３と咥え尻側端部プレート２０４を重ねてカム面１１５に押圧可能な第１押圧部１２４が設けられている。一方、第２押圧バー１１９は、先端部にブランケット１０２の咥え側端部プレート２０３だけをカム面１１５に押圧可能な第２押圧部１２５が設けられている。
【００５９】
第１押圧部１２４及び第２押圧部１２５は、テンションバー１１７の外周面から外方に突出する突出部であり、テンションバー１１７が回動することで、カム面１１５に対し接近離反自在となっている。即ち、第１押圧部１２４及び第２押圧部１２５がカム面１１５に接近する方向にテンションバー１１７が回動するとき、この回動方向の上流側に第１押圧部１２４が位置し、下流側に第２押圧部１２５が位置している。そのため、テンションバー１１７が回動すると、第２押圧部１２５が咥え側端部プレート２０３だけをカム面１１５に押圧し、第１押圧部１２４が咥え側端部プレート２０３と咥え尻側端部プレート２０４を重ねてカム面１１５に押圧する。
【００６０】
また、ブランケット１０２は、咥え尻側端部プレート２０４の途中が内側に折曲される折曲部２０５が形成されている。そのため、咥え尻側端部プレート２０４は、先端部がスリット１２３に挿入された状態でテンションバー１１７が回動すると、第１押圧部１２４が折曲部２０５の内側に接触して引き込んだ後、咥え尻側端部プレート２０４と咥え側端部プレート２０３とを重ねてカム面１１５に押圧する。
【００６１】
テンションバー１１７は、第１押圧部１２４と第２押圧部１２５がカム面１１５に接近する方向に付勢する付勢部材が設けられている。即ち、テンションバー１１７は、軸方向における各端部に回動プレート１３１，１３２が固定されている。一方、胴本体１０１は、軸方向における各端部に回動体１３３，１３４が回動自在に設けられている。回動レバー１３５，１３６は、一端部が回動プレート１３１，１３２に回動自在に連結され、他端部が回動体１３３，１３４に軸方向に移動自在に連結されている。そして、回動レバー１３５，１３６と回動体１３３，１３４との間に圧縮コイルばね（付勢部材）１３７，１３８が張設されている。また、胴本体１０１は軸方向における各端部に回動プレート１３１，１３２のストッパ１３９，１４０が固定されている。
【００６２】
そのため、テンションバー１１７は、圧縮コイルばね１３７，１３８の付勢力により、図２にて反時計回り方向に付勢されており、回動プレート１３１，１３２の端部がストッパ１３９，１４０に当接することで位置決めされている。このとき、第２押圧部１２５が咥え側端部プレート２０３だけをカム面１１５に押圧し、第１押圧部１２４が咥え側端部プレート２０３と咥え尻側端部プレート２０４を重ねてカム面１１５に押圧している。そして、工具１４１を回動プレート１３１，１３２に係止し、この回動プレート１３１，１３２を圧縮コイルばね１３７，１３８の付勢力に抗して、図２にて時計回り方向に回動すると、テンションバー１１７を同方向に回動し、第２押圧部１２５と第１押圧部１２４がカム面１１５から離間し、咥え側端部プレート２０３と咥え尻側端部プレート２０４の押圧を解除することができる。
【００６３】
胴本体１０１は、テンションバー１１７における径方向への変形を規制する規制部材が設けられている。本実施形態にて、この規制部材は、テンションバー１１７の外周面を回動自在に支持する支持部材１５１と、テンションバー１１７における変形側への移動を阻止する複数の阻止部材１５２，１５３から構成されている。即ち、図１及び図５に示すように、胴本体１０１は、外周面側から収容孔１１３に交差するように支持孔１５４が形成されており、支持部材１５１は、外側からこの支持孔１５４に嵌合し、固定されている。支持部材１５１は、テンションバー１１７の下円弧部分が嵌合する嵌合切欠１５５が形成されている。この嵌合切欠１５５は、約２７０度の円弧面を有し、テンションバー１１７の外周面の全領域における約７０％に接触している。そのため、支持部材１５１は、テンションバー１１７における胴本体１０１の外周側への変形を規制することができる。
【００６４】
また、図１及び図６に示すように、胴本体１０１は、外周面側から収容孔１１３に交差するようにねじ孔１５６，１５７が形成されており、ねじ孔１５６，１５７は、収容孔１１３の周方向にずれて形成されている。阻止部材１５２，１５３は、ねじ部材であり、外側からこのねじ孔１５６，１５７に螺合し、固定されている。阻止部材１５２，１５３は、先端部がテンションバー１１７の外周面に当接している。そのため、阻止部材１５２，１５３は、テンションバー１１７における胴本体１０１の外周側への変形を規制することができる。
【００６５】
以下、ブランケット締め付け装置１０３を用いた胴本体１０１へのブランケット１０２の装着作業について説明する。
【００６６】
図２に示すように、工具１４１を回動プレート１３１，１３２に係止し、この回動プレート１３１，１３２を圧縮コイルばね１３７，１３８の付勢力に抗して、図２にて時計回り方向に回動する。すると、テンションバー１１７を同方向に回動し、図４に示すように、第２押圧部１２５と第１押圧部１２４がカム面１１５から離間し、スリット１２３が溝部１１４側を向く。ここで、ブランケット１０２の咥え側端部プレート２０３を溝部１１４から収容孔１１３内に挿入し、カム面１１５側に沿わせる。その後、工具１４１によるテンションバー１１７の保持を解除すると、テンションバー１１７は、圧縮コイルばね１３７，１３８の付勢力により、図４にて反時計回り方向に回動し、第２押圧部１２５の第２押圧面１２５ａが咥え側端部プレート２０３だけをカム面１１５に押圧して保持する。
【００６７】
そして、ブランケット１０２における咥え側端部プレート２０３がテンションバー１１７に支持された状態で、胴本体１０１（ブランケット胴３１ａ）を図４にて時計回り方向に回転すると、ブランケット１０２が胴本体１０１の外周部に巻き付けられていく。
【００６８】
ブランケット１０２が胴本体１０１の外周部に巻き付けられると、再び、図２に示すように、工具１４１を回動プレート１３１，１３２に係止し、この回動プレート１３１，１３２を圧縮コイルばね１３７，１３８の付勢力に抗して、図２にて時計回り方向に回動する。すると、テンションバー１１７を同方向に回動し、図４に示すように、第２押圧部１２５と第１押圧部１２４がカム面１１５から離間し、スリット１２３が溝部１１４側を向く。ここで、ブランケット１０２の咥え尻側端部プレート２０４を溝部１１４から収容孔１１３内に挿入し、スリット１２３に挿入する。このとき、咥え尻側端部プレート２０４は、事前に折曲部２０５が設けられていることから、スリット１２３に容易に挿入することができる。
【００６９】
その後、工具１４１によるテンションバー１１７の保持を解除すると、テンションバー１１７は、圧縮コイルばね１３７，１３８の付勢力により、図４にて反時計回り方向に回動する。すると、図３に示すように、まず、第２押圧部１２５の第２押圧面１２５ａが咥え側端部プレート２０３だけをカム面１１５に押圧して保持する。次に、第１押圧部１２４の第１押圧面１２４ａが咥え側端部プレート２０３と咥え尻側端部プレート２０４を重ねてカム面１１５に押圧して保持する。このとき、ブランケット１０２は、咥え側端部プレート２０３がカム面１１５から離間する方向への弾性力が作用し、咥え尻側端部プレート２０４がカム面１１５に接近する方向への弾性力が作用する。そのため、咥え側端部プレート２０３と咥え尻側端部プレート２０４は、互いに接近する方向に弾性力が作用することから、各端部プレート２０３，２０４が各押圧部１２４，１２５から抜けにくくなり、ブランケット１０２が適正に支持される。
【００７０】
このように本実施形態のブランケット締め付け装置にあっては、ブランケット胴３１ａの収容孔１１３内で回動自在に支持されるテンションバー１１７と、テンションバー１１７に設けられてブランケット１０２の咥え尻側端部プレート２０４を挿入可能なスリット１２３と、テンションバー１１７に設けられてブランケット１０２の咥え側端部プレート２０３と咥え尻側端部プレート２０４を重ねてカム面１１５に押圧する第１押圧部１２４と、テンションバー１１７を第１押圧部１２４がカム面１１５に接近する方向に付勢する圧縮コイルばね１３７，１３８とを設けている。
【００７１】
従って、ブランケット１０２の咥え尻側端部プレート２０４をスリット１２３に挿入し、テンションバー１１７を圧縮コイルばね１３７，１３８の付勢力により回動すると、第１押圧部１２４がブランケット１０２の咥え側端部プレート２０３と咥え尻側端部プレート２０４を重ねてカム面１１５に押圧することとなり、ブランケット１０２を適正にブランケット胴３１ａに装着することができ、信頼性を向上することができる。
【００７２】
本実施形態のブランケット締め付け装置では、ブランケット１０２の咥え尻側端部プレート２０４に内側へ折曲する折曲部２０５を設け、第１押圧部１２４は、この折曲部２０５をブランケット１０２の咥え側端部プレート２０３に重ねて内側からカム面１１５に押圧している。従って、ブランケット１０２は、咥え側端部プレート２０３の反力と咥え尻側端部プレート２０４の反力が逆方向、つまり、咥え側端部プレート２０３と咥え尻側端部プレート２０４が接近する方向に作用することから、第１押圧部１２４によりブランケット１０２の各端部プレート２０３，２０４を強固に支持することができる。
【００７３】
本実施形態のブランケット締め付け装置では、第１押圧部１２４をテンションバー１１７の外周面から外方に突出する突出部とし、カム面１１５を平面としている。従って、テンションバー１１７が回動することで、第１押圧部１２４としての突出部が平面のカム面１１５に押圧してブランケット１０２の咥え側端部プレート２０３と咥え尻側端部プレート２０４を強固に押圧することとなり、簡単な構成で適正にブランケット１０２の各端部プレート２０３，２０４を支持することができる。
【００７４】
本実施形態のブランケット締め付け装置では、テンションバー１１７にブランケット１０２の咥え側端部プレート２０３だけをカム面１１５に押圧する第２押圧部１２５を設けている。従って、第１押圧部１２４だけでなく、第２押圧部１２５がブランケット１０２の咥え側端部プレート２０３を押圧することとなり、ブランケット１０２の締め付け作業の信頼性を向上することができる。
【００７５】
本実施形態のブランケット締め付け装置では、テンションバー１１７における径方向への変形を規制する規制部材として支持部材１５１と阻止部材１５２，１５３を設けている。ブランケット胴３１ａが単胴であると、このブランケット胴３１ａが高速回転するとき、テンションバー１１７における軸方向の中間部が遠心力によりブランケット胴３１ａの外側に撓むように変形する。しかし、規制部材が設けられていることで、テンションバー１１７における径方向への変形が規制され、ブランケット胴３１ａやテンションバー１１７の小型化を可能とすることができる。
【００７６】
本実施形態のブランケット締め付け装置では、規制部材として、テンションバー１１７の外周面を回動自在に支持する支持部材１５１を設けている。従って、支持部材１５１がテンションバー１１７の外周面を回動自在に支持することで、テンションバー１１７の作動に支障をきたすことなく、径方向への変形を規制することができる。
【００７７】
本実施形態のブランケット締め付け装置では、規制部材として、テンションバー１１７における変形側への移動を阻止する阻止部材１５２，１５３を設けている。従って、阻止部材１５２，１５３によりテンションバー１１７における変形側への移動を阻止することができ、構造を簡素化することができる。
【００７８】
本実施形態のブランケット締め付け装置では、収容孔１１３を円形孔とし、円柱形状をなすテンションバー１１７を偏心位置に配置している。従って、第１押圧部１２４や第２押圧部１２５が突出部であるとき、テンションバー１１７を収容孔１１３と同心位置ではなく、偏心位置に配置することで、テンションバー１１７を収容孔１１３内に効率的に収容することができ、収容孔１１３を小型化することができ、その結果、ブランケット胴３１ａの剛性を高めることができる。
【００７９】
また、本実施形態のブランケット胴にあっては、円柱形状をなす胴本体１０１の外周面にブランケット１０２を装着可能とし、胴本体１０１の内部にブランケット締め付け装置１０３を設けている。従って、ブランケット１０２を適正に胴本体１０１に装着することができ、ブランケット胴３１ａの信頼性を向上することができる。
【００８０】
また、本実施形態の新聞用オフセット輪転印刷機にあっては、インキ供給装置、版胴、ブランケット胴により構成し、ブランケット胴の内部にブランケット締め付け装置１０３を設けている。従って、ブランケット１０２を適正に胴本体１０１に装着することができ、ブランケット胴３１ａの信頼性を向上することができ、印刷機の信頼性を向上することができる。
【００８１】
なお、上述した実施形態では、テンションバー１１７に対して第１押圧バー１１８と第２押圧バー１１９を別体としたが、突出部として一体に形成してもよい。また、テンションバー１１７に第１押圧バー１１８と第２押圧バー１１９を設けたが、第１押圧バー１１８だけとしてもよい。
【００８２】
また、上述した実施形態では、ブランケット胴を単胴として版胴と同径としたが、ブランケット胴を倍胴として版胴に対して複数倍の径としてもよい。
【００８３】
また、上述した実施形態では、本発明の印刷機を新聞用オフセット輪転印刷機に適用して説明したが、商業用オフセット輪転印刷機やオフセット枚葉印刷機などに適用してもよい。更に、本実施形態では、版胴を有する印刷機としたが、ブランケット胴を有するバリアブル印刷機であってもよく、編集システムなどで作成したデータをそのまま受け取って印刷可能なデジタル印刷機であればよく、インクジェット式や電子写真方式などでもよい。この場合、両面印刷機であっても、片面印刷機であってもよい。
【符号の説明】
【００８４】
Ｒ  給紙装置
Ｉ  インフィード装置
Ｕ  印刷装置
Ｄ  ウェブパス装置
Ｆ  折機
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
１０１  胴本体
１０２  ブランケット
１０３  ブランケット締め付け装置
２０１  ブランケットシート
２０２  ゴムシート
２０３  咥え側端部プレート
２０４  咥え尻側端部プレート
１１３  収容孔（開口部）
１１４  溝部
１１５  カム面（開口部壁面）
１１７  テンションバー
１１８  第１押圧バー
１１９  第２押圧バー
１２３  スリット
１２４  第１押圧部
１２５  第２押圧部
１３７，１３８  圧縮コイルばね（付勢部材）
１５１  支持部材（規制部材）
１５２，１５３  阻止部材（規制部材）
【図１】
2015131416.tif 000003
【図２】
2015131416.tif 000004
【図３】
2015131416.tif 000005
【図４】
2015131416.tif 000006
【図５】
2015131416.tif 000007
【図６】
2015131416.tif 000008
【図７】
2015131416.tif 000009
【図８】
2015131416.tif 000010